【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
メチルメルカプタン又は硫化水素を含む悪臭を消失又は減少させる消臭剤であって、該消臭剤が消臭物質を含み、該消臭物質は、甘蔗汁、および甘蔗由来の製糖蜜、から選ばれた原料を、固定担体として合成吸着剤を充填されたカラムに通液し、該合成吸着剤に吸着された成分を、水、メタノール、エタノールおよびこれらの混合物から選ばれる溶媒で溶出することによって得られる画分であることを特徴とする、前記消臭剤。
【請求項２】
トリメチルアミン又はアンモニアを含む悪臭を消失又は減少させる消臭剤であって、該消臭剤が消臭物質を含み、該消臭物質は、甘蔗汁、および甘蔗由来の製糖蜜、から選ばれた原料を、固定担体として合成吸着剤を充填されたカラムに通液し、該合成吸着剤に吸着された成分を、水、メタノール、エタノールおよびこれらの混合物から選ばれる溶媒で溶出することによって得られる画分であることを特徴とする、前記消臭剤。
【請求項３】
前記悪臭が便臭である、請求項１記載の消臭剤。
【請求項４】
前記悪臭が口臭である、請求項１記載の消臭剤。
【請求項５】
前記悪臭が便臭又は尿臭である、請求項２記載の消臭剤。
【請求項６】
合成吸着剤が有機系樹脂であり、溶媒がエタノール‐水混合溶媒である請求項１又は２記載の消臭剤。
【請求項７】
合成吸着剤が有機系樹脂であり、溶媒が50/50 〜 60/40（体積／体積）エタノール‐水混合溶媒である請求項１又は２記載の消臭剤。
【請求項８】
合成吸着剤が芳香族系樹脂であり、溶媒が50/50 〜 60/40（体積／体積）エタノール‐水混合溶媒である請求項１又は２記載の消臭剤。
【請求項９】
合成吸着剤が無置換基型の芳香族系樹脂であり、溶媒が50/50 〜 60/40（体積／体積）エタノール‐水混合溶媒である請求項１又は２記載の消臭剤。
【請求項１０】
前記カラムクロマトグラフィーでの処理を、
原料の固形分に対して０．０１〜５倍湿潤体積量の無置換基型の芳香族系樹脂を充填したカラムに、カラム温度６０〜９７℃にて原料を通液した後、カラムに吸着された成分を、カラム温度２０〜４０℃にて50/50 〜 60/40（体積／体積）エタノール‐水混合溶媒で溶出させることによって行い、かつ該エタノール‐水混合溶媒での溶出開始時点から集めた溶出液の量が前記樹脂の４倍湿潤体積量以内に溶出する画分である請求項１又は２記載の消臭剤。
【請求項１１】
甘蔗汁、および甘蔗由来の製糖蜜、から選ばれた原料をカラムクロマトグラフィーで処理して得られる消臭物質をメチルメルカプタン又は硫化水素を含む悪臭に作用させて悪臭を消失又は減少させる方法であって、該消臭物質は、甘蔗汁、および甘蔗由来の製糖蜜、から選ばれた原料を、固定担体として合成吸着剤を充填されたカラムに通液し、該合成吸着剤に吸着された成分を、水、メタノール、エタノールおよびこれらの混合物から選ばれる溶媒で溶出することによって得られる画分であることを特徴とする、前記方法。
【請求項１２】
甘蔗汁、および甘蔗由来の製糖蜜、から選ばれた原料をカラムクロマトグラフィーで処理して得られる消臭物質をトリメチルアミン又はアンモニアを含む悪臭に作用させて悪臭を消失又は減少させる方法であって、該消臭物質は、甘蔗汁、および甘蔗由来の製糖蜜、から選ばれた原料を、固定担体として合成吸着剤を充填されたカラムに通液し、該合成吸着剤に吸着された成分を、水、メタノール、エタノールおよびこれらの混合物から選ばれる溶媒で溶出することによって得られる画分であることを特徴とする、前記方法。
【請求項１３】
前記悪臭が便臭である、請求項１１記載の方法。
【請求項１４】
前記悪臭が口臭である、請求項１１記載の方法。
【請求項１５】
前記悪臭が便臭又は尿臭である、請求項１２記載の方法。
【請求項１６】
合成吸着剤が有機系樹脂であり、溶媒がエタノール‐水混合溶媒である請求項１１又は１２記載の方法。
【請求項１７】
合成吸着剤が有機系樹脂であり、溶媒が50/50 〜 60/40（体積／体積）エタノール‐水混合溶媒である請求項１１又は１２記載の方法。
【請求項１８】
合成吸着剤が芳香族系樹脂であり、溶媒が50/50 〜 60/40（体積／体積）エタノール‐水混合溶媒である請求項１１又は１２記載の方法。
【請求項１９】
合成吸着剤が無置換基型の芳香族系樹脂であり、溶媒が50/50 〜 60/40（体積／体積）エタノール‐水混合溶媒である請求項１１又は１２記載の方法。
【請求項２０】
前記カラムクロマトグラフィーでの処理を、
原料の固形分に対して０．０１〜５倍湿潤体積量の無置換基型の芳香族系樹脂を充填したカラムに、カラム温度６０〜９７℃にて原料を通液した後、カラムに吸着された成分を、カラム温度２０〜４０℃にて50/50 〜 60/40（体積／体積）エタノール‐水混合溶媒で溶出させることによって行い、かつ該エタノール‐水混合溶媒での溶出開始時点から集めた溶出液の量が前記樹脂の４倍湿潤体積量以内に溶出する画分である請求項１１又は１２記載の方法。
【手続補正２】
【補正対象書類名】明細書
【補正対象項目名】０００８
【補正方法】変更
【補正の内容】
【０００８】
本発明は、メチルメルカプタン又は硫化水素を含む悪臭を消失又は減少させる消臭剤であって、該消臭剤が消臭物質を含み、該消臭物質は、甘蔗汁、および甘蔗由来の製糖蜜、から選ばれた原料を、固定担体として合成吸着剤を充填されたカラムに通液し、該合成吸着剤に吸着された成分を、水、メタノール、エタノールおよびこれらの混合物から選ばれる溶媒で溶出することによって得られる画分であることを特徴とするところの消臭剤を提供するものである。本発明は、さらに、トリメチルアミン又はアンモニアを含む悪臭を消失又は減少させる消臭剤であって、該消臭剤が消臭物質を含み、該消臭物質は、甘蔗汁、および甘蔗由来の製糖蜜、から選ばれた原料を、固定担体として合成吸着剤を充填されたカラムに通液し、該合成吸着剤に吸着された成分を、水、メタノール、エタノールおよびこれらの混合物から選ばれる溶媒で溶出することによって得られる画分であることを特徴とするところの消臭剤を提供する。本発明はさらに、甘蔗汁、および甘蔗由来の製糖蜜、から選ばれた原料をカラムクロマトグラフィーで処理して得られる消臭物質をメチルメルカプタン又は硫化水素を含む悪臭に作用させて悪臭を消失又は減少させる方法であって、該消臭物質は、甘蔗汁、および甘蔗由来の製糖蜜、から選ばれた原料を、固定担体として合成吸着剤を充填されたカラムに通液し、該合成吸着剤に吸着された成分を、水、メタノール、エタノールおよびこれらの混合物から選ばれる溶媒で溶出することによって得られる画分であることを特徴とするところの方法を提供する。本発明はさらに、甘蔗汁、および甘蔗由来の製糖蜜、から選ばれた原料をカラムクロマトグラフィーで処理して得られる消臭物質をトリメチルアミン又はアンモニアを含む悪臭に作用させて悪臭を消失又は減少させる方法であって、該消臭物質は、甘蔗汁、および甘蔗由来の製糖蜜、から選ばれた原料を、固定担体として合成吸着剤を充填されたカラムに通液し、該合成吸着剤に吸着された成分を、水、メタノール、エタノールおよびこれらの混合物から選ばれる溶媒で溶出することによって得られる画分であることを特徴とするところの方法を提供する。